(57)【要約】【課題】簡易な構成であるにも関わらず、開口方向へ向かって開いた傾斜面を有する引き戸の受け溝を容易に形成可能な引き戸用戸枠及び引き戸用戸枠の化粧材を提供する。【解決手段】引き戸用戸枠１は、表面長手方向に亘る第１溝２１を形成した基材２と、柔軟な合成樹脂製の化粧シート部３０の一面側の幅方向略中央に、第１溝２１と嵌入する板体である底板部３１が貼着され、そこから幅方向外側に向かって斜面形成部３２、調整板部３３、巻着部３４の順に貼着してなり、基材２へ巻着する化粧材３により構成される。横断面視で直角二等辺三角形の三角柱状体の斜面形成部３２は、長辺となる面が傾斜面３２１として化粧シート部３０に貼着され、短辺となる２面が基材側当接部３２２と調整板側当接部３２３を構成する。斜面形成部３２は、傾斜面３２１から頂角迄の垂直距離が調整板部３３の板厚の約７０％に設定されている。【選択図】図２
0003210287.tif 000002
【実用新案登録請求の範囲】
【請求項１】
長手方向に沿って第１溝が形成されている戸枠用の長尺の基材と、
前記第１溝に裏面側より嵌入する長尺の底板部、該底板部の短手方向の両側辺に屈曲可能に連接され、前記第１溝への底板部の嵌入状態で、表面と該底板部の表面との間に鈍角を形成する斜面形成部、および該斜面形成部で前記底板部と反対側の外側辺に屈曲可能に連接され、前記第１溝を挟んで両側の基材表面への裏面の当接状態で、表面と前記底板部の表面との間に所定深さの第２溝を形成し、該所定深さを板厚によって調整可能な調整板部を有する化粧材とを備える
引き戸用戸枠。
【請求項２】
前記斜面形成部が、
前記基材への前記化粧材の装着状態で同斜面形成部の裏面側にあって、前記第１溝の角部近傍の基材表面に当接支持される基材側当接部と、
前記装着状態で斜面形成部の裏面側にあって、前記調整板部で底板部側の内側辺に当接支持される調整板側当接部とを有する
請求項１に記載の引き戸用戸枠。
【請求項３】
前記斜面形成部が、
前記鈍角を形成する表面、前記基材側当接部、および前記調整板側当接部からなる三角柱状体である
請求項２に記載の引き戸用戸枠。
【請求項４】
前記斜面形成部が、
前記装着状態で、前記第１溝の角部近傍の基材表面、前記調整板部で底板部側の内側辺の少なくとも一方との間に、隙間を形成する
請求項２に記載の引き戸用戸枠。
【請求項５】
前記化粧材が、
前記調整板部で底板部と反対側の外側辺に屈曲可能に連接され、前記基材に巻着するための巻着部を有する
請求項１、請求項２、請求項３または請求項４に記載の引き戸用戸枠。
【請求項６】
前記化粧材が、
前記底板部の表面、前記斜面形成部の表面、および前記調整板部の表面を一面側に貼着し、各部間を屈曲可能に連接する化粧シート部を有する
請求項１、請求項２、請求項３、請求項４または請求項５に記載の引き戸用戸枠。
【請求項７】
被取着物である戸枠用の長尺の基材の長手方向に沿って形成された第１溝に、裏面側より嵌入可能な長尺の底板部と、
該底板部の短手方向の両側辺に屈曲可能に連接され、前記第１溝への底板部の嵌入状態で、表面と該底板部の表面との間に鈍角を形成する斜面形成部と、
該斜面形成部で前記底板部と反対側の外側辺に屈曲可能に連接され、前記第１溝を挟んで両側の基材表面への裏面の当接状態で、表面と前記底板部の表面との間に所定深さの第２溝を形成し、該所定深さを板厚によって調整可能な調整板部と、
前記底板部の表面、前記斜面形成部の表面、および前記調整板部の表面を一面側に貼着し、各部間を屈曲可能に連接する化粧シート部とを備える
引き戸用戸枠の化粧材。
【請求項８】
前記調整板部で底板部と反対側の外側辺に屈曲可能に連接され、前記基材に巻着するための巻着部を備える
請求項７に記載の引き戸用戸枠の化粧材。
【請求項９】
前記斜面形成部が、
前記基材への前記化粧材の装着状態で同斜面形成部の裏面側にあって、前記第１溝の角部近傍の基材表面に当接支持される基材側当接部と、
前記装着状態で斜面形成部の裏面側にあって、前記調整板部で底板部側の内側辺に当接支持される調整板側当接部とを有する
請求項７または請求項８に記載の引き戸用戸枠の化粧材。
【請求項１０】
前記斜面形成部が、
前記基材への前記化粧材の装着状態で同斜面形成部の裏面側に突出した先端までの垂直距離を、前記調整板部の板厚の４０％〜７０％の範囲内に設定する
請求項９に記載の引き戸用戸枠の化粧材。
【考案の詳細な説明】
【技術分野】
【０００１】
本考案は、簡易な構成であるにもかかわらず、開口方向へ向かって開いた傾斜状の側壁（以下「傾斜面」という）を有する引き戸の受け溝を容易に形成可能な引き戸用戸枠、および引き戸用戸枠の化粧材に関する。
【背景技術】
【０００２】
従来から、室内等から明かりや空気が漏れにくいように、引き戸のスライド方向の前端が入り込むようにされた戸杓り（以下「受け溝」という）が形成された引き戸用の戸枠がある。このような戸枠は合板等により製造されたものが多く見られるが、合板等そのものの戸枠は見た目が悪いため、合板等で形成された基材に化粧材を貼り付けて化粧することが一般的であり、例えば、下記の特許文献１に示されているような引き戸用戸枠が提案されている。このような引き戸用戸枠の構成を図７に示している。
【０００３】
図７に示す引き戸用戸枠９は、内面側に引き戸の前端が収まる凹溝９１が形成された枠材９０と、凹溝９１を含む枠材９０の表面に沿って貼られたシート状の化粧材９２からなるものである。そして、凹溝９１の出隅（以下「角部」という）や入隅（以下「隅部」という）に対応する部分については、化粧材９２の裏面側に設けられたＶ字状の折曲溝９３の箇所で折り曲げて角部等に沿わせている。これにより、引き戸用戸枠９は、凹溝９１の角部や隅部に対応する部分であっても、化粧材９２が密着して綺麗な外観になるようにしてある。
【先行技術文献】
【特許文献】
【０００４】
【特許文献１】特開平９−６０４２３号公報
【考案の概要】
【考案が解決しようとする課題】
【０００５】
ところで、引き戸は、例えば上吊り式のもので見受けられるように、開け閉めする際に、戸の厚み方向に多少のブレが生じることがある。引き戸用戸枠９は、凹溝９１が角溝に形成されており、引き戸の先端が凹溝９１の中に入り込む際に引き戸が厚み方向にブレると、引き戸の先端が凹溝９１の角部に当たって同部分を破損させる可能性がある。
【０００６】
このような破損を回避するための手段として、凹溝９１の形状を、溝底と側壁との間の角度（以下「溝角度」という）が鈍角となる傾斜面を形成することが考えられるが、このような形状の凹溝を形成する場合、一般的な工作機械では１回の工程で前述の傾斜面を有する凹溝を形成することが難しく、凹溝の形成だけで少なくとも２回の工程（最初に角溝を形成し、次いで傾斜面を形成する）が必要となるため、加工に手間が掛かる。他方、角溝を形成し、そこに傾斜面を有する溝形の合成樹脂レールを嵌め入れる方法もあるが、この場合、製造コストが高くなり、見た目も良くない。
【０００７】
本考案は、以上の点を鑑みて創案されたものであり、簡易な構成であるにもかかわらず、開口方向へ向かって開いた傾斜面を有する引き戸の受け溝を容易に形成可能な引き戸用戸枠、および引き戸用戸枠の化粧材を提供することを目的とするものである。
【課題を解決するための手段】
【０００８】
上記の目的を達成するために本考案の引き戸用戸枠は、長手方向に沿って第１溝が形成されている戸枠用の長尺の基材と、前記第１溝に裏面側より嵌入する長尺の底板部、該底板部の短手方向の両側辺に屈曲可能に連接され、前記第１溝への底板部の嵌入状態で、表面と該底板部の表面との間に鈍角を形成する斜面形成部、および該斜面形成部で前記底板部と反対側の外側辺に屈曲可能に連接され、前記第１溝を挟んで両側の基材表面への裏面の当接状態で、表面と前記底板部の表面との間に所定深さの第２溝を形成し、該所定深さを板厚によって調整可能な調整板部を有する化粧材とを備える。
【０００９】
ここで、戸枠用の長尺の基材は、引き戸用の戸枠の剛性を高める芯材となると共に、基材の長手方向に沿って第１溝が形成されていることによって、第１溝の位置を基準にして、基材表面側に受け溝となる第２溝を形成することができる。
【００１０】
化粧材は、底板部を有することによって、底板部を裏面側から基材の第１溝へ嵌入することができ、この嵌入した底板部の表面側によって、第２溝の溝底を構成することができる。また、底板部が長尺であることによって、第１溝の長手方向に亘って取り付けることができる。ここで「嵌入」は、底板部が第１溝の溝口を閉じ、かつ溝の内部を底板部が隙間無く埋めている態様のほか、底板部が第１溝の溝口を閉じただけの（溝の内部を底板部が埋めていない）態様、底板部の表面側の部分が第１溝の溝口から突出した態様、なども含む意味で使用するものである。
【００１１】
そして、化粧材は、斜面形成部を有することによって、斜面形成部の表面と第２溝における溝底との間に構成される溝角度が鈍角となるようにすることができる。また、斜面形成部は、底板部の短手方向の両側辺に屈曲可能に連接されていることによって、第１溝へ嵌入した底板部の表面（即ち、第２溝の溝底となる面）から前述の斜面形成部の表面に至る、連続する表面を形成することができる。
【００１２】
加えて、化粧材は、調整板部を有することによって、第１溝を挟んで両側の基材表面へ裏面を当接すると、調整板部の表面によって、第２溝を挟んで両側となる引き戸用の戸枠の表面部分を形成することができる。また、調整板部は、第１溝を挟んで両側の基材表面に裏面を当接することによって、底板部の表面との間に所定深さの第２溝が形成され、かつ、この所定深さは、設定される調整板部の板厚に応じて調整することができる。更に、調整板部は、斜面形成部で底板部と反対側の外側辺に屈曲可能に連接されていることによって、前述の斜面形成部の表面から調整板部の表面に至る、連続する表面を形成することができる。
【００１３】
このように、本考案によれば、長手方向に沿って溝（第１溝）が形成されただけの基材に、底板部、斜面形成部および調整板部を有する化粧材を取り付けるだけの簡易作業で、開口方向へ向かって開いた傾斜面を有する引き戸の受け溝（第２溝）が形成された引き戸用戸枠を得ることができる。
【００１４】
また、前記斜面形成部が、前記基材への前記化粧材の装着状態で同斜面形成部の裏面側にあって、前記第１溝の角部近傍の基材表面に当接支持される基材側当接部と、前記装着状態で斜面形成部の裏面側にあって、前記調整板部で底板部側の内側辺に当接支持される調整板側当接部とを有する場合は、鈍角を形成する表面の方向から外力が加わった際に、斜面形成部を、第１溝の角部近傍の基材表面および調整板部で底板部側の内側辺の二箇所において支えることになり、斜面形成部の破損を防止することができる。ここで「当接支持」とは、面接触、線接触または点接触のいずれかの態様で当接して支持することを意味する。
【００１５】
また、前記斜面形成部が、前記鈍角を形成する表面、前記基材側当接部、および前記調整板側当接部からなる三角柱状体である場合は、第１溝の角部近傍の基材表面および調整板部で底板部側の内側辺によって構成される隅部への収まりがよい。特に、横断面視が直角三角形の三角柱状体であれば、この三角柱状体の断面視で長辺にあたる面が鈍角を形成する表面を構成すると共に、同じく断面視で短辺にあたる２面が前述の基材側当接部および調整板側当接部として、第１溝の角部近傍の基材表面および調整板部で底板部側の内側辺の各々と面接触し、かつ直角部分が隅部に嵌まり込むため、外力に対して大きな強度を示す。加えて、斜面形成部が三角柱状体である場合、最小限構成（鈍角を形成する表面、基材側当接部、調整板側当接部）を備えた無駄の無い形状であるため、最小限の加工で済み、製造コスト低減を図ることができる。
【００１６】
また、前記斜面形成部が、前記装着状態で、前記第１溝の角部近傍の基材表面、前記調整板部で底板部側の内側辺の少なくとも一方との間に、隙間を形成する場合は、第１溝の角部近傍の基材表面および調整板部で底板部側の内側辺と、斜面形成部の少なくとも一部が接触して所定の強度を確保しつつ、隙間部分の分だけ軽量化を図ることができる。特に、斜面形成部が、型等で形成する合成樹脂や中密度繊維板によるものである場合は、軽量化と共に、必要な原材料の量の低減による省資源化を図ることができる。
【００１７】
また、前記化粧材が、前記調整板部で底板部と反対側の外側辺に屈曲可能に連接され、前記基材に巻着するための巻着部を有する場合は、巻着部によって、基材の厚み方向の側面部、あるいは、基材の厚み方向の側面部および基材の底面部についても化粧することができる。なお、巻着部は、調整板部のような板状の部材であってもよいし、柔軟性を有するシート状の部材であってもよく、また、板状の部材と柔軟性を有するシートを組み合わせたものであってもよい。そして、化粧材が板状の部材を有するものである場合は、化粧のみならず基材表面の補強効果も奏する。
【００１８】
また、前記化粧材が、前記底板部の表面、前記斜面形成部の表面、および前記調整板部の表面を一面側に貼着し、各部間を屈曲可能に連接する化粧シート部を有する場合は、底板部、斜面形成部および調整板部の各々が分離しないように化粧シート部の同一面上に隣接配置して一まとまりにすることができる。そして、この一まとまりになった化粧材を基材に取り付ければ、化粧シート部の他面側が引き戸用戸枠の表側となって、各部の継ぎ目の無い美しい表面が現れる。なお、化粧シート部の他面側に木目等の模様を施せば、無垢材のような引き戸用戸枠となる。加えて、前述の構成によれば、各部間の連接構造を簡単にして、部品数、部品コストの低減化を図ることができる。
【００１９】
上記の目的を達成するために本考案の引き戸用戸枠の化粧材は、被取着物である戸枠用の長尺の基材の長手方向に沿って形成された第１溝に、裏面側より嵌入可能な長尺の底板部と、該底板部の短手方向の両側辺に屈曲可能に連接され、前記第１溝への底板部の嵌入状態で、表面と該底板部の表面との間に鈍角を形成する斜面形成部と、該斜面形成部で前記底板部と反対側の外側辺に屈曲可能に連接され、前記第１溝を挟んで両側の基材表面への裏面の当接状態で、表面と前記底板部の表面との間に所定深さの第２溝を形成し、該所定深さを板厚によって調整可能な調整板部と、前記底板部の表面、前記斜面形成部の表面、および前記調整板部の表面を一面側に貼着し、各部間を屈曲可能に連接する化粧シート部とを備える。
【００２０】
ここで、引き戸用戸枠の化粧材は、底板部を有することによって、底板部を裏面側から被取着物である戸枠用の長尺の基材の長手方向に形成された第１溝へ嵌入することができ、そして、この嵌入した底板部の表面側によって、第２溝の溝底を構成することができる。また、底板部が長尺であることによって、第１溝の長手方向に亘って取り付けることができる。
【００２１】
そして、引き戸用戸枠の化粧材は、斜面形成部を有することによって、被取着物である戸枠用の基材に取り付けた際に、斜面形成部の表面と第２溝における溝底との間に構成される溝角度が鈍角となるようにすることができる。また、斜面形成部は、底板部の短手方向の両側辺に屈曲可能に連接されていることによって、第１溝へ嵌入した底板部の表面（即ち、第２溝の溝底となる面）から前述の斜面形成部の表面に至る、連続する表面を形成することができる。
【００２２】
加えて、引き戸用戸枠の化粧材は、調整板部を有することによって、被取着物である基材における第１溝を挟んで両側の基材表面へ裏面を当接すると、調整板部の表面によって、第２溝を挟んで両側となる引き戸用の戸枠の表面部分を形成することができる。また、調整板部は、第１溝を挟んで両側の基材表面に裏面を当接することによって、底板部の表面との間に所定深さの第２溝が形成され、かつ、この所定深さは、設定される調整板部の板厚に応じて調整することができる。更に、調整板部は、斜面形成部で底板部と反対側の外側辺に屈曲可能に連接されていることによって、前述の斜面形成部の表面から調整板部の表面に至る、連続する表面を形成することができる。
【００２３】
更に、引き戸用戸枠の化粧材は、化粧シート部を有することによって、底板部、斜面形成部および調整板部の各々が分離しないように化粧シート部の同一面上に隣接配置して一まとまりにすることができる。そして、この引き戸用戸枠の化粧材が取り付けられた基材においては、化粧シート部の他面側が引き戸用戸枠の表側となって、各部の継ぎ目の無い美しい表面が現れる。
【００２４】
このように、本考案によれば、長手方向に沿って溝（第１溝）が形成されただけの基材に取り付けるだけの簡易作業で、基材表面を化粧できると共に、開口方向へ向かって開いた傾斜面を有する引き戸の受け溝（第２溝）を形成可能な引き戸用戸枠の化粧材を得ることができる。
【００２５】
また、前記化粧材が、前記調整板部で底板部と反対側の外側辺に屈曲可能に連接され、前記基材に巻着するための巻着部を備える場合は、巻着部によって、被取着物である戸枠用の基材の厚み方向の側面部、あるいは、基材の厚み方向の側面部および基材の底面部についても化粧することができる。なお、巻着部は、調整板部のような板状の部材であってもよいし、柔軟性を有するシート状の部材であってもよく、また、板状の部材と柔軟性を有するシートを組み合わせたものであってもよい。そして、化粧材が板状の部材を有するものである場合は、化粧のみならず基材表面の補強効果も奏する。
【００２６】
また、前記斜面形成部が、前記基材への前記化粧材の装着状態で同斜面形成部の裏面側にあって、前記第１溝の角部近傍の基材表面に当接支持される基材側当接部と、前記装着状態で斜面形成部の裏面側にあって、前記調整板部で底板部側の内側辺に当接支持される調整板側当接部とを有する場合は、鈍角を形成する表面の方向から外力が加わった際に、斜面形成部を、第１溝の角部近傍の基材表面および調整板部で底板部側の内側辺の二箇所において支えることになり、斜面形成部の破損を防止することができる。
【００２７】
また、前記斜面形成部が、前記基材への前記化粧材の装着状態で同斜面形成部の裏面側に突出した先端までの垂直距離を、前記調整板部の板厚の４０％〜７０％の範囲内に設定する場合は、被取着物である戸枠用の基材に引き戸用戸枠の化粧材を取り付けた際に、第１溝の角部近傍の基材表面および調整板部で底板部側の内側辺によって構成される隅部への斜面形成部の収まり具合を向上させることができる。
【００２８】
例えば、斜面形成部の裏面側に突出した先端までの垂直距離が、調整板部の板厚の７０％を超える場合、屈曲させて斜面形成部の調整板側当接部と調整板部で底板部側の内側辺を当接させると、調整板側当接部の方が高くなってしまい、斜面形成部が浮き上がって、前述の箇所の入隅に上手く収まらずに、斜面形成部と調整板部が隣接する部分に凸状の段差が生じることになる。この段差の部分は他の平面部と比較して擦れることが多くなり、当該部分から化粧シート部が破れる可能性が高く、引き戸用戸枠の化粧材全体の破断にも繋がりかねない。
【００２９】
一方、斜面形成部の裏面側に突出した先端までの垂直距離が、調整板部の板厚の４０％未満である場合、斜面形成部と調整板部が隣接する部分に凹状の段差が生じることになり、この場合も前述の場合と同様の理由から、当該部分から化粧シート部が破れる可能性が高く、引き戸用戸枠の化粧材全体の破断にも繋がりかねない。
【００３０】
しかしながら、本考案のように、斜面形成部において、斜面形成部の裏面側に突出した先端までの垂直距離を、調整板部の板厚の４０％〜７０％の範囲内に設定したものは、前述の隅部に丁度収まって段差が生じず、かつ、斜面形成部と調整板部の接触面積も広くなるので、外力に対して所定の強度を確保することができる。
【考案の効果】
【００３１】
本考案によれば、簡易な構成であるにもかかわらず、開口方向へ向かって開いた傾斜面を有する引き戸の受け溝を容易に形成可能な引き戸用戸枠、および引き戸用戸枠の化粧材を提供することができる。
【図面の簡単な説明】
【００３２】
【図１】本考案の引き戸用戸枠を示し、引き戸用戸枠を適用した引き戸構造について高さ方向中間部分を省略して示す斜視説明図である。
【図２】図１に示す引き戸用戸枠について斜面形成部を拡大した横断面視説明図であり、（ａ）は基材に取り付ける前の引き戸用戸枠の化粧材であり、（ｂ）は基材に化粧材を取り付けた後の引き戸用戸枠である。
【図３】本考案の引き戸用戸枠の変形例１の横断面視説明図であり、（ａ）は基材に取り付ける前の引き戸用戸枠の化粧材であり、（ｂ）は基材に化粧材を取り付けた後の引き戸用戸枠である。
【図４】本考案の引き戸用戸枠の変形例２を示しており、（ａ）は基材に取り付ける前の引き戸用戸枠の化粧材の斜面形成部近傍を示す横断面視説明図であり、（ｂ）は基材に化粧材を取り付けた後の斜面形成部近傍を示す横断面視説明図である。
【図５】本考案の引き戸用戸枠の変形例３を示しており、（ａ）は基材に取り付ける前の引き戸用戸枠の化粧材の斜面形成部近傍を示す横断面視説明図であり、（ｂ）は基材に化粧材を取り付けた後の斜面形成部近傍を示す横断面視説明図である。
【図６】本考案の引き戸用戸枠の変形例４を示しており、（ａ）は基材に取り付ける前の引き戸用戸枠の化粧材の斜面形成部近傍を示す横断面視説明図であり、（ｂ）は基材に化粧材を取り付けた後の斜面形成部近傍を示す横断面視説明図である。
【図７】特許文献１記載の引き戸用戸枠を示し、（ａ）は基材と、基材に取り付ける前の引き戸用戸枠の化粧材の各々を示す横断面視説明図であり、（ｂ）は基材に化粧材を取り付けた後の引き戸用戸枠を示す横断面視説明図であり、（ｃ）は特許文献１記載の引き戸用戸枠を適用した引き戸構造を横断面視で示す概略図である。
【考案を実施するための形態】
【００３３】
図１ないし図６を参照して、本考案の実施の形態を更に詳細に説明する。なお、各図における符号は、煩雑さを軽減し理解を容易にする範囲内で付している。
【００３４】
〔第１実施形態〕
図１および図２を参照して、第１実施形態に係る引き戸用戸枠１について説明する。図１に示すように、引き戸用戸枠１は、引き戸構造Ａにおいて、引き戸Ｓのスライド方向の前端が当たって止まる部分であり、引き戸Ｓの前端Ｓ１が嵌入可能な受け溝（第２溝）４が高さ方向（即ち、引き戸用戸枠１の長手方向）形成されている。受け溝（第２溝）４は、溝底４１と、溝底４１の長手方向に沿っており、受け溝（第２溝）４の開口方向へ向かって開いた傾斜面３２１からなる。引き戸用戸枠１は、基材２と、基材２の表面に巻くようにして取り付けられる化粧材３により構成される（図２（ｂ）参照）、これら各部については以下詳述する。
【００３５】
（基材）
図２（ｂ）に示す基材２は、複数枚の板を積層してなる合板であり、戸枠の表側として使用される面の幅方向略中央に、長手方向に亘る第１溝２１が形成されている。なお、第１溝２１の位置は、戸枠の表面の幅方向略中央に限定するものではなく、引き戸Ｓのスライド位置、枚数に応じて適宜変更してもよい。
【００３６】
また、基材２は、前述の構造の合板に限定するものではなく、例えば、自然木の無垢一枚もの、ＭＤＦ（Medium Density Fiberboard：中密度繊維板）、パーティクルボード、インシュレーションボード等のエンジニアリングウッド、ダンボール等あるいはこれらを組み合わせたもの、合成樹脂材や金属材等の単一層板、または、木質材と合成樹脂材、金属材等を組み合わせた複層構造のもの等であってもよい。
【００３７】
（化粧材）
図２（ａ）、（ｂ）に示す化粧材３は、化粧シート部３０と、底板部３１と、斜面形成部３２と、調整板部３３と、巻着部３４を備える。
【００３８】
化粧シート部３０は、柔軟性を有する合成樹脂シートであり、一面側に、底板部３１、斜面形成部３２、調整板部３３、および巻着部３４、の各々が貼着してあり、他面側に木目調の模様（図示省略）がプリントされている。化粧シート部３０は、その幅方向略中央に底板部３１が貼り付けられており、底板部３１から幅方向の外側に向かって、斜面形成部３２、調整板部３３、巻着部３４の順番で貼り付けられている。
【００３９】
底板部３１は、第１溝２１と略同じ長さの長尺の板体であり、表面側が化粧シート部３０の幅方向略中央に貼り付けられている。底板部３１は、化粧材３を基材２に取り付けた際に、第１溝２１に裏面側から嵌入し、第１溝２１を閉塞することができる。そして、嵌入後の底板部３１の表面側は、後述する受け溝（第２溝）４の溝底４１となる。
【００４０】
斜面形成部３２は、横断面視で直角二等辺三角形の三角柱状体であり、長辺にあたる面が、傾斜面３２１として化粧シート部３０に貼り付けられている。なお、傾斜面３２１は、前述の「鈍角を形成する表面」に相当するものであり、後述する傾斜面３２１ａ、３２１ｂ、３２１ｃにおいても同様である。また、斜面形成部３２のうち、短辺にあたる２面は、基材側当接部３２２および調整板側当接部３２３を構成し、第１溝２１の角部近傍の基材表面２２（平坦面）および調整板部３３で底板部側の内側辺（垂直面）により構成される隅部の各々の面に面接触する。
【００４１】
そして、斜面形成部３２は、傾斜面３２１から頂角（前述の「基材への化粧材の装着状態で同斜面形成部の裏面側に突出した先端」に相当）までの垂直距離が、調整板部３３の板厚の約７０％に形成されている。なお、斜面形成部３２は、底板部３１の短手方向の両側辺に連接しており、連接部分における化粧シート部３０を介して屈曲可能に設けられている。
【００４２】
調整板部３３は、各斜面形成部３２で底板部３１と反対側の外側辺に連接しており、連接部分における化粧シート部３０を介して屈曲可能に設けられている。また、調整板部３３は、基材２における第１溝２１の両側の面（基材表面２２）へ裏面を当接させることで、調整板部３３の表面と底板部３１の表面（溝底４１を構成する）との間に所定深さの受け溝（第２溝）４が形成される。そして、受け溝（第２溝）４の深さは、調整板部３３の板厚によって調整することができる。
【００４３】
巻着部３４は、各調整板部３３で底板部と反対側の外側辺に連接しており、連接部分における化粧シート部３０を介して屈曲可能に設けられている。巻着部３４は、面取り角形成部３４１、側面形成部３４２および底面形成部３４３を含んでおり、調整板部３３から近い順に、面取り角形成部３４１、側面形成部３４２、底面形成部３４３の順番で、化粧シート部３０の一面側に貼り付けられている。面取り角形成部３４１は、横断面視で直角台形の倒置した柱状体である。側面形成部３４２は、横断面視で等脚台形の板体である。底面形成部３４３は、横断面視で直角台形の板体である。
【００４４】
本実施の形態において、底板部３１と調整板部３３の厚さは同じであるが、これに限定するものではなく、底板部と調整板部の厚さが異なっていてもよい。この場合、調整板部が、複数の部材を重ねてなる構造である場合は、全体の厚さを板厚とみなすこともできる。
【００４５】
（作  用）
図１および図２を参照して、引き戸用戸枠１の作用を説明する。
引き戸用戸枠１は、長手方向に沿って第１溝２１が形成されただけの基材２に、斜面形成部３２等を有する化粧材３を取り付けるという簡易作業でありながら、溝底４１と傾斜面３２１からなる引き戸Ｓの受け溝（第２溝）４が形成される。そして、化粧材３を基材２に取り付ければ、化粧シート部３０の他面側が引き戸用戸枠１の表側となって、各部の継ぎ目が無く、木目調の美しい表面が現れる。
【００４６】
受け溝（第２溝）４は、溝底４１と傾斜面３２１との間で構成される溝角度が鈍角（１３５°）である。これにより、例えば、引き戸Ｓを開け閉めする際に、戸の厚み方向に多少のブレが生じたとしても、引き戸の前端Ｓ１は傾斜面３２１に当たり、溝底４１に誘導される。このとき、引き戸の前端Ｓ１は傾斜面３２１を摺動し、前端Ｓ１が受け溝４の溝底４１に衝突する際の衝撃が大きく緩和されるので、引き戸の前端Ｓ１の破損が防止できる。
【００４７】
そして、斜面形成部３２は、基材側当接部３２２および調整板側当接部３２３が、第１溝２１の角部近傍の基材表面２２と調整板部３３で底板部側の内側辺の各々と面接触し、かつ直角部分が隅部に嵌まり込むため、外力に対して大きな強度を示す。
【００４８】
調整板部３３は、受け溝（第２溝）４の近傍にあって、基材表面２２を覆うことで、引き戸用の戸枠１の上面部分を形成している。なお、調整板部３３の板厚と、斜面形成部３２の調整板側当接部３２３の長さが同寸法なので、調整板部３３と斜面形成部３２の隣接部分において、調整板部３３が斜面形成部３２よりも高く突き出る凸部、あるいは、調整板部３３が斜面形成部３２よりも低くなる凹部が形成されず、同隣接部分における化粧シート部３０の破断が起きにくいようになっている。
【００４９】
〔変形例１〕
図３に示す引き戸用戸枠１ａは、図２に示す引き戸用戸枠１における受け溝（第２溝）４の位置が、短手方向中央ではなく、外側寄りに設けられた態様の変形例を示している。引き戸用戸枠１ａは、受け溝（第２溝）４の位置が前述の通りであるため、いわゆる片引きの引き戸を有する引き戸構造で好適に使用される。なお、他の部分の構造および作用は引き戸用戸枠１と同様であるため、引き戸用戸枠１の各部と同じ符号を付けると共に、説明を省略する。
【００５０】
〔変形例２〕
図４（ａ）に示す斜面形成部３２ａは、図２に示す斜面形成部３２の変形例である。斜面形成部３２ａは、横断面視で直角三角形の三角柱状体であり、長辺にあたる面が、傾斜面３２１ａとして化粧シート部３０に貼り付けられている。また、斜面形成部３２ａのうち、短辺の長い方の辺が調整板側当接部３２３ａを構成し、調整板側当接部３２３ａの長さは、調整板部３３の厚さと同寸法に形成されている。そして、斜面形成部３２ａのうち、短辺の短い方の辺が基材側当接部３２２ａを構成する。なお、斜面形成部３２ａは、傾斜面３２１ａから頂角までの垂直距離が、調整板部３３の板厚の約５０％に設定されている。
【００５１】
図４（ｂ）に示すように、化粧材３ａを基材２に取り付けた場合、受け溝（第２溝）４は、溝底４１と傾斜面３２１ａとの間の溝角度が、引き戸用戸枠１における同部分の溝角度よりも小さな鈍角（１２０°）で、溝底４１までが深くなり、引き戸用戸枠１と比較して、引き戸用戸枠１ａの方がややシャープな印象の装飾効果を付与する。なお、他の部分の構造および作用は引き戸用戸枠１と同様であるため、引き戸用戸枠１の各部と同じ符号を付けると共に、説明を省略する。
【００５２】
〔変形例３〕
図５（ａ）に示す斜面形成部３２ｂは、図２に示す斜面形成部３２の変形例である。斜面形成部３２ｂは、横断面視で先端が円弧状である山形と長辺からなる柱状体であり、長辺にあたる面が、傾斜面３２１ｂとして化粧シート部３０に貼り付けられている。前述の山形部分は当接部３２４である。なお、斜面形成部３２ｂは、傾斜面３２１ｂから当接部３２４先端までの垂直距離が、調整板部３３の板厚の約５５％に設定されている。
【００５３】
図５（ｂ）に示すように、化粧材３ｂを基材２に取り付けた場合、受け溝（第２溝）４は、溝底と傾斜面３２１ｂとの間の溝角度が鈍角（１３５°）となる。また、変形例３において、斜面形成部３２ｂの先端近傍は隅部との間で隙間が生じるため、隙間の材料分の重量軽減化、コスト低減化を図ることができる。なお、他の部分の構造および作用は引き戸用戸枠１と同様であるため、引き戸用戸枠１の各部と同じ符号を付けると共に、説明を省略する。
【００５４】
〔変形例４〕
図６（ａ）に示す斜面形成部３２ｃは、図２に示す斜面形成部３２の変形例である。斜面形成部３２ｃは、横断面視で等脚台形の柱状体であり、下辺にあたる面が、傾斜面３２１ｃとして化粧シート部３０に貼り付けられている。また、斜面形成部３２ｃのうち、等脚辺の一方（図６（ａ）において左側）が調整板側当接部３２３ｃを構成し、等脚辺の他方（図６（ａ）において右側）が基材側当接部３２２ｃを構成する。なお、斜面形成部３２ｃは、傾斜面３２１ｃから基材側当接部３２２ｃ等側の先端までの垂直距離が、調整板部３３の板厚の約４２％に設定されている。
【００５５】
図６（ｂ）に示すように、化粧材３ｃを基材２に取り付けた場合、受け溝（第２溝）４は、溝底４１と傾斜面３２１ｃとの間の溝角度が鈍角（１３５°）となる。また、変形例４において、斜面形成部３２ｃの先端近傍は隅部との間で隙間が生じるが、隙間の材料分の重量軽減化、コスト低減化を図ることができる。この点は、前述の変形例３と同様であるが、斜面形成部の加工をグラインダーやカッターで行う場合は、変形例４の形状の方が、加工が容易である。なお、他の部分の構造および作用は引き戸用戸枠１と同様であるため、引き戸用戸枠１の各部と同じ符号を付けると共に、説明を省略する。
【００５６】
このように、本考案によれば、長手方向に沿って第１溝２１が形成されただけの基材２に、斜面形成部３２等を有する化粧材３、３ａ、３ｂ、３ｃを取り付けるという簡易作業でありながら、基材２２の表面が化粧できると共に、溝底４１と傾斜面３２１からなる引き戸Ｓの受け溝（第２溝）４を形成することができる。そして、化粧材３を基材２に取り付ければ、化粧シート部３０の他面側が引き戸用戸枠１、１ａの表側となって、各部の継ぎ目が無く、木目調の美しい表面が現れる。
【００５７】
以上のように、本考案を適用した引き戸用戸枠、および引き戸用戸枠の化粧材は、開口方向へ向かって開いた傾斜面を有する引き戸の受け溝を容易に形成可能なものとなっている。
【００５８】
本明細書および本実用新案登録請求の範囲で使用している用語と表現は、あくまでも説明上のものであって、なんら限定的なものではなく、本明細書および本実用新案登録請求の範囲に記述された特徴およびその一部と等価の用語や表現を除外する意図はない。また、本考案の技術思想の範囲内で、種々の変形態様が可能であるということは言うまでもない。
【符号の説明】
【００５９】
１、１ａ    引き戸用戸枠
Ａ    引き戸構造
Ｓ    引き戸
Ｓ１    引き戸の先端
２    基材
２１    第１溝
２２    基材表面
３、３ａ、３ｂ、３ｃ    化粧材
３０    化粧シート部
３１    底板部
３２、３２ａ、３２ｂ、３２ｃ    斜面形成部
３２１、３２１ａ、３２１ｂ、３２１ｃ    傾斜面
３２２、３２２ａ、３２２ｃ    基材側当接部
３２３、３２３ａ、３２３ｃ    調整板側当接部
３２４    当接部
３３    調整板部
３４    巻着部
３４１    面取り角形成部
３４２    側面形成部
３４３    底面形成部
４    受け溝（第２溝）
４１    溝底
９    引き戸用戸枠
９０    枠材
９１    凹溝
９２    化粧材
９３    折曲溝
【図１】
0003210287.tif 000003
【図２】
0003210287.tif 000004
【図３】
0003210287.tif 000005
【図４】
0003210287.tif 000006
【図５】
0003210287.tif 000007
【図６】
0003210287.tif 000008
【図７】
0003210287.tif 000009